(57)【特許請求の範囲】
【請求項１】
顎（１）の下側の頚部（３）の前方部外周に当接し、前記前方部外周を任意のアーム（８，８’；１２，１２’；１５，１５’；１９，１９’；２１，２１’）で把持するよう構成された略Ｕ字形状部（２；７；９；１６；２０；２４）を有し、前記Ｕ字形状部が、顎又は顎骨を載置することにより顎（１）に当接しかつ支持するよう構成された上方顎支持部材（４，５；６；１１；１３，１７；２２）と、死者の胸及び又は鎖骨に当接する部分を有する下方支持部材（８，８’；１０；１４；１８；２３）とを備えていることを特徴とする死者用の顎支持装置。
【請求項２】
請求項１に記載の死者用の顎支持装置であって、前記上方顎支持部材の上方前方の縁部（４）に弾性フランジ（５）を突設したことを特徴とする顎支持装置。
【請求項３】
請求項１又は２に記載の死者用の顎支持装置であって、自然に化学分解され得る材料から成ることを特徴とする顎支持装置。
【請求項４】
請求項１〜３のいずれか一項に記載の死者用の顎支持装置であって、両面接着テープの一以上の取付け点を備え頚部に固定することを特徴とする顎支持装置。
【請求項５】
請求項１〜４のいずれか一項に記載の死者用の顎支持装置であって、頚部のまわりに緊締できる手段であって例えば面ファスナを備えたストラップを有していることを特徴とする顎支持装置。
【発明の詳細な説明】
【０００１】
【発明の属する技術分野】
本発明は、死者の顎を支持するための顎の支持装置に関するものである。
【０００２】
【従来の技術】
人が死んだ時に最初に起きる現象は身体の完全なる弛緩である。
【０００３】
顎に関しては、顎自体が下顎に向かって“落ち込み”、その結果死者の口が部分的に開いた状態となる。
【０００４】
死後硬直前に、実際に“死体の硬直”は通常２〜５時間後に始まり、従って少なくとも美的観点からの理由により顎は手で上方へ押し上げて口が閉じたままであるようにしなければならない。
【０００５】
通常、この問題を解決するにあたっては死体の予備的な処置において、新たな死者の世話をするために使用される道具の一部である包帯が通常使用される。この包帯は死者の下顎の下部に当てられ、頬の両側に沿ってのばし、頭の頂部で互いに結ばれ又は締め付けられる。
【０００６】
【本発明が解決しようとする課題】
多くの者がこれを難しい処置と見ており、そして満足な結果を得るようにこの作業を行うためには概して二人の人間が必要となる。すなわち１人は死者の顎を上向きに押し上げ、もう１人が包帯を死者の下顎の下側に当てそして頭の頂部で結び、安全ピン又は自己接着性若しくは自己係止性の包帯によって留める。
【０００７】
従って、死者の顎を包帯で止めるこの方法については、実際の経験者から聞くところによれば、次のような欠点がある。すなわち、
１．処置が難しく、包帯が緩んだり外れたりし易い。
２．満足な結果を得るのに概して二人の人間が必要とする。
３．介護人にとって困難であることに加え、この処置は死者が包帯をすることによりほとんど見分けることができなくなるため、どちらかと言えば美的に美しくない。すなわち、頬は包まれており、髪の毛はわずかにしか見えず、これらは通常死者を死後すぐに見たいと願う残された家族にとって死んだ家族を“見分けることができない”ことを意味している。従って、こうした処置は死者を見せるのに満足する美的な方法とはかけ離れている。
４．さらに、介護人又は葬儀関係者はしばしば幾度も同じ死者に付き添わなければならない。このことは、死体の最初の処置が死後直ちに行われなければならず、そしてその時点で顎が上記の方法で堅く結び付けられていることを意味している。後に残された家族が死者を見る際に、多くの場合包帯を髪の毛からはずす必要がある。
【０００８】
本発明の目的は、上記の問題点を解決しそして今まで使用されてきた包帯で顎を包んで結ぶ方法に代わる装置を提供することにある。
【０００９】
本発明の目的は、１人で顎を閉じた状態に簡単かつ容易にしかも死後硬直の始まるまで、そのままの状態にし得るようにすることにある。
【００１０】
【課題を解決するための手段】
上記の本発明の顎支持装置は特許請求の範囲に記載した特徴によって特徴付けられる。
【００１１】
【発明の実施の形態】
本発明による顎支持装置は以下に詳細に説明するよう種々の形態をもち得る。
【００１２】
添付図面を参照して本発明を詳細に説明する。
【００１３】
図１は、本発明による顎支持装置２を顎１の下側で頸部３のまわりに部分的に装着した状態を示す。
【００１４】
図２ａ〜図２ｃに示すように、図示する実施の形態ではＵ字形状部の形態であり、上部４の上方の凸状縁部には、任意ではあるが突起した好ましくは弾性の支持フランジ５が設けられている。任意ではあるが、支持フランジ５は所望の位置にのみ曲げることができる。
【００１５】
上部４と弾性の支持フランジ５は、下顎の下側を十分に支持てきれば任意の形態でよい。
【００１６】
図１及び図２に示す実施の形態では、胸又は鎖骨に当接するように伸張された部分はない。
【００１７】
図１及び図２に示す実施の形態における顎支持装置では、死者の頸部のまわりをしっかりと把持しそして固定した後は、その状態に確実に留まることができるようにある程度弾性を有する必要がある。しかしながら、本発明の範囲を逸脱せずに、本発明による顎支持装置は簡単な方法で適切な位置に保持することができる頸部周囲用のテープを備えてもよい。
【００１８】
また頸部に固定する両面テープを使用してもよい。
【００１９】
一の可能な実施の形態では、支持フランジ５はディスク形状に形成することができるが、それでも折ったり曲げたりすることにより、また任意ではあるがそれ自体の弾性により下顎の下部に当接させてもよい。
【００２０】
図示しないが顎支持装置２の外側と支持フランジ５の下側との間に支持バーを配列させた実施の形態も考えられる。
【００２１】
この種の可能な実施の形態は図３ａ〜図３ｃに原理的に示され、上部６は柱状部７の上にディスク状に形成され、また頸部をある程度取り囲む柱状部７の取り囲み部分はアーム８及び８’で形成され、頸部３に対向する柱状部７部分及びアーム８及び８’には、例えば、より良好に固定するための両面テープを配してもよい。
【００２２】
図４ａ〜図４ｃには別の簡素化された実施の形態が示されており、図３ａ〜図３ｃに示すような部材９の本体はさらに短くされると共に広く形成されており、死者の胸に当接するようにされた下部１０及び顎１に当接しかつ支持するように配設された上部１１は部材９の全幅にわたってのび、そしてアーム１２及び１２’は“折りたたまれた”形状に形成されている。
【００２３】
図５ａ〜図５ｃは図４に示す顎支持装置の変形例を原理的に示しており、図４の支持装置の“周囲部”のみ弾性材料体に維持され、それぞれＵ字形側部形状の上部１３、下部１４及びアーム１５，１５’を備え、これらの部分は弾性体１６の形態に一体に構成されている。
【００２４】
図３及び図４に示す支持装置は有利には両面テープを用いた良好な固定部を備えてもよいが、図５に示すようにアーム６の長さに関連して死者の頸部のまわりに特別のテープを設けるほうが有利である。
【００２５】
図２、図３、図４、図５、図６及び図７は６つの可能な実施の形態を示しているが、当然上記で概説し特許請求の範囲に定義するように本発明の精神及び範囲から逸脱せずに、更なる可能な変形例が考えられる。
【００２６】
図６において、顎支持装置２０は、湾曲した顎支持部１７と、鎖骨又は胸支持部１８及びこれらの間に位置し堅い又は僅かに弾性であり得る弾性部１９，１９’とを備えている。
【００２７】
図７は、例えばプラスチック、厚紙又は他の適当な材料から成る支持装置の変形例を示しており、幅広の側部２１，２１’によって顎支持部２２と鎖骨／胸支持部２３との間の支持装置の必要な堅さが得られている。またこの支持装置２４は平坦な部片として提供することができ、死者の頸部３に幅広の側部部分２１，２１’を当接させることができるように曲げられ、両面接着テープ、プラスターなどを用いて死者の頸部３に固定させることができる。
【００２８】
顎支持装置２４の幅広の側部部分２１，２１’には任意ではあるが、死者の頸部２５に固定する両面接着テープを設けてもよい。
【００２９】
代わりに、頸部の周りに固定できる手段、例えばヴェルクロテープ（ヴェルクロ（Ｖｅｌｃｒｏ）は登録商標）または面ファスナを備えたストラップ２６，２６’を用いても顎支持装置２４を固定することができる。
【００３０】
【発明の効果】
本発明による顎支持装置によれば以下の効果を有する。すなわち、
１．ほとんど目に見えない。
【００３１】
２．死者の顔及び髪の毛は覆われない。
【００３２】
３．死者を容易に認識できるように髪の毛を取りまとめることができる。
【００３３】
４．顔の形はそのままに保たれ、すなわち今まで使用されてきた包帯を使用した場合のように頬にしわが形成されない。
【００３４】
５．一度死体を処置すれば十分であり、何回も作業を行う必要がない。
【００３５】
６．介護者にとって処置が簡単であり、１人で行うことができる。
【００３６】
本発明による顎支持装置は、単に構造的要求さえ合致すれば、任意の適当な材料で構成することができる。しかし当然のことながら腐敗して土に還元できる材料を用いて形成するのが有利である。
【００３７】
本発明による顎支持装置は、新たな死体を処置するための対応者にとって作業を相当に簡単化させかつ容易にさせることができる。
【００３８】
さらに、本発明による顎支持装置は、透明な又は肌色の材料で構成できるので、死者を容易にかつストレスなしに見ることができる。
【００３９】
冒頭で説明した課題は本発明により簡単で美的な方法で解消され、全く容易とは言えないまでも必要な作業をより簡便化させることができる。
【図面の簡単な説明】
【図１】  本発明による顎支持装置を装着した状態で示す図である。
【図２ａ】  図１に示す顎支持装置の斜視図である。
【図２ｂ】  図１に示す顎支持装置の上面図である。
【図２ｃ】  図１に示す顎支持装置の側面図である。
【図３ａ】  本発明による顎支持装置の別の実施の形態を示す斜視図である。
【図３ｂ】  本発明による顎支持装置の別の実施の形態を示す上面図である。
【図３ｃ】  本発明による顎支持装置の別の実施の形態を示す側面図である。
【図４ａ】  本発明による顎支持装置の別の実施の形態示す斜視図である。
【図４ｂ】  本発明による顎支持装置の別の実施の形態を示す上面図である。
【図４ｃ】  本発明による顎支持装置の別の実施の形態を示す側面図である。
【図５ａ】  本発明による顎支持装置の別の実施の形態を示す斜視図である。
【図５ｂ】  本発明による顎支持装置の別の実施の形態を示す上面図である。
【図５ｃ】  本発明による顎支持装置の別の実施の形態を示す側面図である。
【図６】  本発明による顎支持装置の代表的な商業的の実施の形態の変形例を示す図である。
【図７】  本発明による顎支持装置の代表的な商業的の実施の形態の変形例を示す図である。
【図８】  死者における本発明による顎支持装置の典型的な装着状態を示す図である。
【図９】  死者における本発明による顎支持装置の典型的な装着状態を示す図である。
【符号の説明】
１  顎
２  顎支持装置
３  頸部
５  支持フランジ
７  柱状部
８，８’  アーム
１２，１２’アーム
１５，１５’アーム
１７  顎支持部
１８  鎖骨又は胸支持部
１９，１９’弾性部
２０  顎支持装置
２２  顎支持部
２３  鎖骨／胸支持部
２４  支持装置
２５  死者の頸部
２６  ストラップ
【図１】
0003732091.tif 000002
【図２ａ】
0003732091.tif 000003
【図２ｂ】
0003732091.tif 000004
【図２ｃ】
0003732091.tif 000005
【図３ａ】
0003732091.tif 000006
【図３ｂ】
0003732091.tif 000007
【図３ｃ】
0003732091.tif 000008
【図４ａ】
0003732091.tif 000009
【図４ｂ】
0003732091.tif 000010
【図４ｃ】
0003732091.tif 000011
【図５ａ】
0003732091.tif 000012
【図５ｂ】
0003732091.tif 000013
【図５ｃ】
0003732091.tif 000014
【図６】
0003732091.tif 000015
【図７】
0003732091.tif 000016
【図８】
0003732091.tif 000017
【図９】
0003732091.tif 000018